(57)【要約】【課題】無線リモコンシステム全体の消費電力を低減する。【解決手段】無線リモコン、第１無線機器及び第２無線機器からなる無線リモコンシステムであって、第１無線機器は、無線リモコンからの無線信号を受信し、第１状態データを生成する無線通信部と、第２無線機器と有線通信する有線通信部と、第１状態データと順序情報を記憶する記憶部と、無線信号に含まれる制御対象情報に応じて制御コードを実行し、かつ順序情報を記憶させる制御部とを備え、制御部は、有線通信部が受信した無線信号に含まれる順序情報と記憶部の順序情報を比較し、有線通信部が受信した無線信号に含まれる順序情報が大きい場合にのみ対応する制御コードを実行する。制御部は、有線通信部が第２無線機器の状態データを受信した場合であって、状態データが第１状態データより無線通信状態が良好であることを示す場合は、第２無線通信部に対する電源供給を停止させる。【選択図】図１
2013085125.tif 000002
【特許請求の範囲】
【請求項１】
無線リモコンと、前記無線リモコンと無線接続される第１無線外部機器及び第２無線外部機器とを備えた無線リモコンシステムであって、
前記無線リモコンは、
制御データ、制御対象機器情報及び順序情報を無線信号として送信する第１無線通信部と、を備え、
前記第１無線外部機器は、
前記無線信号を受信するとともに、前記第１無線通信部との無線通信状態を示す第１無線通信状態データを生成する第２無線通信部と、
前記第２無線外部機器と有線通信する有線通信部と
前記第１無線通信状態データ及び前記順序情報を記憶する記憶部と、
前記第２無線通信部が受信した前記無線信号に含まれる前記制御対象機器情報に応じて制御コードを実行し、前記実行した制御コードに対応する順序情報を前記記憶部に記憶させる制御部と、を備え、
前記制御部は、前記有線通信部が受信した無線信号に含まれる順序情報と前記記憶部が記憶した順序情報とを比較し、前記有線通信部が受信した無線信号に含まれる順序情報が、前記記憶部が記憶した順序情報より大きい場合は、前記有線通信部が受信した無線信号に含まれる制御コードを実行する、ことを特徴とする無線リモコンシステム。
【請求項２】
前記第２無線通信部及び前記有線通信部への電源制御を行う電源制御部と、を更に備え、
前記制御部は、前記有線通信部が前記第２無線外部機器の無線通信状態データを受信した場合に、前記電源制御部に前記第１無線通信状態データ及び前記無線通信状態データを比較させ、前記無線通信状態データが前記第１無線通信状態データより無線通信状態が良好であることを示す場合は前記第２無線通信部に対する電源供給を停止させる、ことを特徴とする請求項１に記載の無線リモコンシステム。
【請求項３】
前記制御部は、前記第２無線通信部が受信した前記無線信号に含まれる前記制御対象機器情報が前記第２無線外部機器を示す場合、前記無線信号を前記有線通信部を介して前記第２無線外部機器へ送信させる、ことを特徴とする請求項１に記載の無線リモコンシステム。
【発明の詳細な説明】
【技術分野】
【０００１】
本発明は、無線リモコンシステムに関し、更に詳しくは、無線リモコンが、有線通信で相互接続された無線テレビと無線外部機器を無線通信により制御する無線リモコンシステムにおいて、無線リモコンシステム全体の消費電力を低減することが可能な無線リモコンシステムに関するものである。
【背景技術】
【０００２】
従来、無線リモコンシステムでは、無線リモコンは、ユーザーの操作によって発生された操作信号を無線通信により無線テレビや無線外部機器へ送信し、無線テレビや無線外部機器は、受信した操作信号に基づきユーザーの操作を実施している（例えば、特許文献１参照）。
【先行技術文献】
【特許文献】
【０００３】
【特許文献１】特開平０６−２４５２７５号公報
【発明の概要】
【発明が解決しようとする課題】
【０００４】
しかしながら、上記従来の無線テレビや無線外部機器は、無線リモコンと無線通信を行うための無線通信機能を個々に有しているため、個々の機器でスタンバイ時及び無線リモコンオン時に全ての無線通信機能に電力供給する必要がある。そのため、例えば、無線テレビと無線外部機器が有線通信で相互接続されている場合であって、かつ無線リモコンから無線外部機器を制御する場合、無線テレビを経由した有線通信で制御可能な場合であっても、無線外部機器の無線通信機能に電力供給しなければならず、消費電力の観点で問題があった。
【０００５】
本発明は、上記事情に鑑みてなされたものであって、第２無線外部機器（他の機器）と無線リモコンとの通信特性及び第１無線外部機器（自機器）と無線リモコンとの通信特性から判断して、第１無線外部機器または第２無線外部機器の無線通信機能への電源供給を制御することが可能な無線通信システムを提供することを目的とする。
【課題を解決するための手段】
【０００６】
本発明の請求項１にかかる無線リモコンシステムは、無線リモコンと、無線リモコンと無線接続される第１無線外部機器及び第２無線外部機器とを備えた無線リモコンシステムであって、無線リモコンは、制御データ、制御対象機器情報及び順序情報を無線信号として送信する第１無線通信部と、を備え、第１無線外部機器は、無線信号を受信するとともに、第１無線通信部との無線通信状態を示す第１無線通信状態データを生成する第２無線通信部と、第２無線外部機器と有線通信する有線通信部と、第１無線通信状態データ及び順序情報を記憶する記憶部と、第２無線通信部が受信した無線信号に含まれる制御対象機器情報に応じて制御コードを実行し、実行した制御コードに対応する順序情報を記憶部に記憶させる制御部と、を備え、制御部は、有線通信部が受信した無線信号に含まれる順序情報と記憶部が記憶した順序情報とを比較し、有線通信部が受信した無線信号に含まれる順序情報が、記憶部が記憶した順序情報より大きい場合は、有線通信部が受信した無線信号に含まれる制御コードを実行する、ことを特徴とする。
【０００７】
また、本発明の請求項２にかかる無線リモコンシステムは、本発明の請求項１にかかる無線リモコンシステムの構成において、第２無線通信部及び有線通信部への電源制御を行う電源制御部と、を更に備え、制御部は、有線通信部が第２無線外部機器の無線通信状態データを受信した場合に、電源制御部に第１無線通信状態データ及び無線通信状態データを比較させ、無線通信状態データが第１無線通信状態データより無線通信状態が良好であることを示す場合は第２無線通信部に対する電源供給を停止させる、ことを特徴とする。
【０００８】
また、本発明の請求項３にかかる無線リモコンシステムは、本発明の請求項１にかかる無線リモコンシステムの構成において、制御部は、第２無線通信部が受信した無線信号に含まれる制御対象機器情報が第２無線外部機器を示す場合、無線信号を前記有線通信部を介して第２無線外部機器へ送信させる、ことを特徴とする。
【発明の効果】
【０００９】
本発明の無線リモコンシステムによれば、スタンバイ時及び無線リモコンオン時に、無線リモコンと無線テレビ、無線外部機器との操作信号授受において最小限の無線通信機能を使用して消費電力を抑えることができる。
【図面の簡単な説明】
【００１０】
【図１】本発明の実施の形態１に係る無線リモコンシステムの構成を示すブロック図
【図２】同実施の形態１に係る無線リモコンの制御部１０２で生成される操作信号の例を示す図
【図３】同発明の実施の形態に係る無線通信状態データの例を示す図
【図４】同発明の実施の形態１に係る電源制御情報の例を示す図
【図５】同発明の実施の形態１に係る無線テレビ１１０が無線リモコン１００から操作信号を受信した場合の処理を示すフローチャート
【図６】同発明の実施の形態１に係る無線テレビ１１０が無線外部機器２００から操作信号を受信した場合の処理を示すフローチャート
【図７】同発明の実施の形態１に係る無線テレビ１１０が無線外部機器２００に無線通信状態を要求し併せて無線外部機器２００に無線通信状態を通知する処理を示すフローチャート
【図８】同発明の実施の形態１に係る無線テレビ１１０が無線外部機器２００から無線通信状態を要求された場合の処理を示すフローチャート
【図９】同発明の実施の形態１に係る無線テレビ１１０の電源制御処理を示すフローチャート
【図１０】同発明の実施の形態１に係る無線外部機器２００が無線リモコン１００から操作信号を受信した場合の処理を示すフローチャート
【図１１】同発明の実施の形態１に係る無線外部機器２００が無線テレビ１１０から操作信号を受信した場合の処理を示すフローチャート
【図１２】同発明の実施の形態１に係る無線外部機器２００が無線テレビ１１０に無線通信状態を要求し併せて無線テレビ１１０に無線通信状態を通知する処理を示すフローチャート
【図１３】同発明の実施の形態１に係る無線外部機器２００が無線テレビ１１０から無線通信状態を要求された場合の処理を示すフローチャート
【図１４】同発明の実施の形態１に係る無線外部機器２００の電源制御処理を示すフローチャート
【発明を実施するための形態】
【００１１】
以下本発明を実施するための形態について、図面を参照しながら説明する。
【００１２】
（実施の形態１）
図１は、本発明の実施の形態１に係る無線リモコンシステムの構成を示すブロック図である。無線リモコンシステムは、無線リモコン１００と、無線テレビ１１０と、無線外部機器２００とから構成される。
【００１３】
最初に、無線リモコン１００について説明する。無線リモコン１００は、無線通信部１０１、制御部１０２、記憶部１０３から構成される。無線通信部１０１は、制御部１０２から出力された操作信号を無線信号に変換して送信する。また、無線テレビ１１０や無線外部機器２００から無線通信状態確認信号を受信した場合は、無線通信状態応答信号を生成して出力する。制御部１０２は、図示されていないリモコンキー押下に対応して図２に示す操作信号を生成する。記憶部１０３は、制御部１０２で生成された番号を記録する。
【００１４】
ここで、図２に示す操作信号について説明する。操作信号は、機器識別子、操作情報、番号、連続押し時間から構成される。機器識別子は、操作情報を実行する機器を識別するための情報である。操作情報は、リモコンキーに対応付けられた処理を示す。番号は、操作信号を多重処理されるのを防止するために使用されるものであって、初期値は０であり、操作信号が生成されるたびに更新される。連続押し時間は、リモコンキーの長押し動作の判定に使用する。リモコンキーを長押ししている途中で一時的に無線通信が途絶した場合、無線リモコン１００側の長押し状態と状態が一致しなくなる。この対策のため、無線リモコン１００側が連続押し時間を操作信号として送信し、受信した無線テレビ１１０及び無線外部機器２００が無線通信途絶にかかわらず長押し判定を行えるようにする。
【００１５】
次に、無線テレビ１１０について説明する。無線テレビ１１０は、無線通信部１１１、制御部１１２、電源制御部１１３、有線通信部１１４、記憶部１１５から構成される。
【００１６】
無線通信部１１１は、無線通信部１０１から受信された無線信号を操作信号に変換して制御部１１２へ出力する。また、制御部１１２の指示に応じて無線通信部１０１に無線通信状態確認信号を送信し、無線通信部１０１から無線通信状態応答信号を受信して図３に示す無線通信状態データを生成し、無線テレビ１１０の無線通信状態データとして制御部１１２へ出力する。無線通信状態データは、交信結果、ＢＥＲビットエラー率、ＲＳＳＩ受信電力から構成される。交信結果は無線通信ができた場合「可」であり、無線通信ができなかった場合「不可」となる情報である。ＢＥＲビットエラー率は、無線通信のエラー率を示す。エラー率が低いほど無線通信には有利である。ＲＳＳＩ受信電力は、無線通信を受信した時点での電力を示す。電力が高いほど無線通信には有利である。
【００１７】
有線通信部１１４は、常時、無線外部機器２００との通信が可能か否かを所定のコマンド送受信により確認している。無線外部機器２００との通信ができる場合は、制御部１１２から入力された操作信号を無線外部機器２００へ有線送信する。また、有線通信部１１４は、無線外部機器２００から受信された操作信号を制御部１１２へ出力する。更に、制御部１１２から入力された無線通信状態確認要求を無線外部機器２００へ有線送信し、無線外部機器２００から受信された無線外部機器２００の無線通信状態データを制御部１１２へ出力する。更に、無線外部機器２００から受信された無線通信状態確認要求を制御部１１２へ出力し、制御部１１２から入力された無線テレビ１１０の無線通信状態データを無線外部機器２００へ有線送信する。
【００１８】
記憶部１１５は、操作信号を多重に処理するのを防止するため、操作信号の処理済み番号を記録する。また、制御部１１２から入力された無線テレビ１１０及び無線外部機器２００の無線通信状態データを記憶する。ここで、夫々の無線通信状態データの初期値は無効データとなっている。
【００１９】
制御部１１２は、無線通信部１１１から操作信号が入力された場合、無線テレビ１１０が処理するか否かを機器コードで判断する。そして、無線テレビ１１０で処理すると判断した場合は、操作信号に含まれる番号と記憶部１１５から取り出した処理済み番号を比較して操作信号の番号が大きければ、操作信号に含まれる操作情報に基づき処理を実行する。無線テレビ１１０で処理しないと判断した場合は、有線通信部１１４に操作信号を出力させる。処理実行の際、操作信号に含まれる連続押し時間が所定の長押し時間を越えている場合は連続押し処理を行う。処理実行後は、操作信号に含まれる番号を記憶部１１５に出力して、記憶部１１５に記憶された番号を更新させる。本処理については、図５に示すフローチャートを用いて詳述する。
【００２０】
一方、処理実行の際、操作信号に含まれる連続押し時間が所定の時間を越えていない場合は、無線リモコン１００と無線外部機器２００との無線通信状態を確認するために、無線通信状態確認要求を有線通信部１１４へ出力するとともに、無線通信部１１１が生成した無線通信状態データを有線通信部１１４へ出力する。本処理については、図７に示すフローチャートを用いて詳述する。また、無線テレビ１１０が無線外部機器２００から無線通信状態確認要求を受信した場合の処理については、図８に示すフローチャートを用いて詳述する。
【００２１】
また、無線外部機器２００から有線通信部１１４を経由して操作信号を受信した場合は、無線テレビ１１０が処理する操作信号か否かを機器コードで判断し、無線テレビ１１０が処理すべき操作信号である場合は、上記処理を実行する。本処理については、図６に示すフローチャートを用いて詳述する。
【００２２】
制御部１１２は、無線テレビ１１０の電源がオンされたら、電源制御部１１３に対し無線通信部１１１への電源供給を行う指示を出す。ここで、有線通信部１１４が有線通信不可であると判断した場合は、常時、無線通信部１１１への電源供給を行う。
【００２３】
制御部１１２は、無線テレビ１１０の無線通信部１１１から無線通信状態データが入力された場合であって、記憶部１１５に無線通信部１１１の有効な無線通信状態データがある場合は、対応する無線通信状態データの値を更新する。一方、有効な無線通信状態データがない場合は、入力された無線通信状態データをそのまま記憶部１１５に記憶させる。ここで、無線通信部１１１から入力された無線通信状態データの交信結果が「不可」であれば、電源制御部１１３に無線通信部１１１への電源供給を停止させ、記憶部１１５に記憶している対応する無線通信状態データを無効にする。
【００２４】
一方、無線外部機器２００の有線通信部２０４から無線通信状態データが送信されてきた場合、記憶部１１５に無線外部機器２００の有効な無線通信状態データがあれば比較して更新する。そして有効な無線通信状態データが無ければ、受信した無線通信状態データをそのまま無線外部機器２００の無線通信状態データとして記憶部１１５に記憶させる。
【００２５】
次に、無線外部機器２００について説明する。無線外部機器２００は、無線通信部２０１、制御部２０２、電源制御部２０３、有線通信部２０４、記憶部２０５から構成される。これらの各構成は、上述した無線テレビ１１０の同文言の構成要素と同処理を行うので説明を省略する。
【００２６】
次に、無線テレビ１１０及び無線外部機器２００が無線リモコン１００から操作信号を受信した場合の処理について説明する。本実施の形態では、無線テレビ１１０に１台の無線外部機器２００が接続された場合を想定する。
【００２７】
図５は、本発明の実施の形態１に係る無線テレビ１１０が無線リモコン１００から操作信号を受信した場合の処理を示すフローチャートである。
【００２８】
まず、無線リモコン１００において、制御部１０２は、リモコンキーが押されたことを検出して図２に示すような操作信号を生成する（ステップＳ５０１）。無線通信部１０１は、制御部１０２が生成した操作信号を無線信号として無線テレビ１１０へ送信する（ステップＳ５０２）。
【００２９】
無線テレビ１１０の無線通信部１１１は、無線リモコン１００から送信された無線信号を受信する（ステップＳ５０３）。そして、受信した無線信号を操作信号に変換して出力するとともに、無線信号を受信した時点の無線通信状態データを生成して制御部１１２へ出力する（ステップＳ５０４）。制御部１１２は、入力された無線通信状態データを記憶部１１５に記憶させるとともに、無線通信部１１１から入力された操作信号に含まれる機器コードを参照して、無線テレビ１１０が処理するか否かを判断する（ステップＳ５０５）。無線テレビ１１０で処理しないと判断した場合は（ステップＳ５０５で「ＮＯ」）、入力された操作信号を、有線通信部１１４経由で無線外部機器２００へ送信させる（ステップＳ５０６）。
【００３０】
一方、制御部１１２は、無線テレビ１１０で処理すると判断した場合は（ステップＳ５０５で「ＹＥＳ」）、入力された操作信号に含まれる番号と記憶部１１５に記憶された処理済み番号を比較して操作信号の番号が大きい場合のみ操作情報に基づき処理を実行する（ステップＳ５０７）。また、入力された操作信号に含まれる連続押し時間が所定の長押し時間を越えている場合は、連続押し処理を行う（ステップＳ５０８）。前記処理実行後、制御部１１２は、入力された操作信号に含まれる番号を記憶部１１５に記憶させて処理済み番号を更新し（ステップＳ５０９）、処理を終了する。
【００３１】
図６は本発明の実施の形態１に係る無線テレビ１１０が無線外部機器２００から操作信号を受信した場合の処理を示すフローチャートである。無線リモコン１００からの無線信号は無線テレビ１１０のみならず、無線外部機器２００でも受信可能であり、無線外部機器２００において無線外部機器２００が処理しないと判断された操作信号は有線通信で無線テレビ１１０に送信される。
【００３２】
無線テレビ１１０の有線通信部１１４は、無線外部機器２００から操作信号を受信する（ステップＳ６０１）。制御部１１２は、受信した操作信号に含まれる機器識別子に基づいて無線テレビ１１０で処理すると判断した場合に、受信した操作信号に含まれる番号と記憶部１１５に記憶された処理済み番号を比較して操作信号の番号が大きい場合にのみ操作情報に基づき処理を実行する（ステップＳ６０２）。また、入力された操作信号に含まれる連続押し時間が所定の長押し時間を越えている場合は、連続押し処理を行う（ステップＳ６０３）。前記処理実行後、制御部１１２は、受信された操作信号に含まれる番号を記憶部１１５に記憶させて処理済み番組を更新し（ステップＳ６０４）、処理を終了する。
【００３３】
図７は、本発明の実施の形態１に係る無線テレビ１１０が無線外部機器２００に無線リモコン１００との無線通信状態を要求し、併せて無線テレビ１１０と無線リモコン１００との無線通信状態を通知する処理を示すフローチャートである。
【００３４】
制御部１１２は、図５のステップＳ５０３において無線信号を受信した場合、図５のステップＳ５０８において連続押し時間が所定の時間を越えていなければ、有線通信部１１４を介して、無線通信状態確認要求を無線外部機器２００に送信する（ステップＳ７０１）。併せて、制御部１１２は、図５のステップＳ５０４で生成した無線通通信状態データを、有線通信部１１４を介して無線外部機器２００に出力する（ステップＳ７０２）。
【００３５】
図８は、本発明の実施の形態１に係る無線テレビ１１０が無線外部機器２００から無線通信状態を要求された場合の処理を示すフローチャートである。制御部１１２は有線通信部１１４を介して無線外部機器２００から無線通信状態確認要求を受信する（ステップＳ８０１）。併せて、制御部１１２は有線通信部１１４を介して無線外部機器２００から受信した無線通信状態データを、記憶部１１５に無線外部機器２００の無線通信状態データとして記憶させる（ステップＳ８０２）。
【００３６】
上記処理後、制御部１１２は電源制御部１１３に無線通信部１１１に対する電源オンを指示し（ステップＳ８０３）、無線通信部１１１に対して、無線通信状態を確認するための信号である無線通信状態確認信号の生成を指示して送信させる（ステップＳ８０４）。無線通信部１１１は、無線通信部１０１と無線交信を行い、無線通信状態応答信号を受信して、図３に示す無線通信状態データを生成する（ステップＳ８０５）。そして、生成した無線通信状態データを制御部１１２へ出力し、制御部１１２は無線通信状態データを、有線通信部１１４を介して無線外部機器２００へ送信する（ステップＳ８０６）。そして、ステップＳ８０２で記憶部１１５に記憶させた無線外部機器２００の無線通信状態データと、ステップＳ８０５で生成した無線テレビ１１０の無線通信状態データとを比較し（ステップＳ８０７）、無線外部機器２００の無線通信状態データより無線テレビ１１０の無線通信状態データがよくない場合は（ステップＳ８０７で「ＹＥＳ」）、電源制御部１１３に対して無線通信部１１１の電源オフを指示する（ステップＳ８０８）。一方、無線外部機器２００の無線通信状態データより無線テレビ１１０の無線通信状態データがよい場合は（ステップＳ８０７で「ＮＯ」）、そのまま無線通信部１１１への電源供給を継続させる。
【００３７】
図９は、本発明の実施の形態１に係る無線テレビ１１０の電源制御部１１３の電源制御処理を示すフローチャートである。電源制御部１１３は、図４に示す電源制御情報に応じて無線通信部１１１への電源供給有無を判断する。
【００３８】
電源制御部１１３は、制御部１１２から有線通信可が入力されたか否かを判断し（ステップＳ９０１）、有効な無線テレビ１１０及び無線外部機器２００の無線通信状態データがあるか否かを判断する（ステップＳ９０２）。無線テレビ１１０の無線通信状態データを入力１、無線外部機器２００の無線通信状態データを入力２として図４の電源制御情報で判断する。（ステップＳ９０３）。ここで、図４の電源制御情報を説明する。例えば、入力１のビットエラー値が入力２未満であれば入力１が優位と判断し、入力２より大きければ入力２優位と判断する。更に入力１と入力２のビットエラー値が等しい場合、入力１の受信電力が入力２以上であれば入力１優位と判断し、入力２未満であれば入力２優位と判断する。
【００３９】
そして、ステップＳ９０３において、無線外部機器２００の無線通信状態が優位であると判断した場合は（ステップＳ９０４で「ＹＥＳ」）、無線テレビ１１０の電源制御部１１３は、無線通信部１１１への電源供給を停止して処理を終わる（ステップＳ９０５）。
【００４０】
図１０は、本発明の実施の形態１に係る無線外部機器２００が無線リモコン１００から操作信号を受信した場合の処理を示すフローチャートである。
【００４１】
まず、無線リモコン１００において、制御部１０２は、リモコンキーが押されたことを検出して図２に示すような操作信号を生成する（ステップＳ１００１）。無線通信部１０１は、制御部１０２が生成した操作信号を無線信号として無線外部機器２００へ送信する（ステップＳ１００２）。
【００４２】
無線外部機器２００の無線通信部２０１は、無線リモコン１００から送信された無線信号を受信する（ステップＳ１００３）。そして、受信した無線信号を操作信号に変換して出力するとともに、無線信号を受信した時点の無線通信状態データを生成して制御部２０２へ出力する（ステップＳ１００４）。制御部２０２は、入力された無線通信状態データを記憶部２０５に記憶させるとともに、無線通信部２０１から入力された操作信号に含まれる機器コードを参照して、無線外部機器２００が処理するか否かを判断する（ステップＳ１００５）。無線外部機器２００で処理しないと判断した場合は（ステップＳ１００５で「ＮＯ」）、入力された操作信号を、有線通信部２０４経由で無線テレビ１１０へ送信させる（ステップＳ１００６）。
【００４３】
一方、制御部２０２は、無線外部機器２００で処理すると判断した場合は（ステップＳ１００５で「ＹＥＳ」）、入力された操作信号に含まれる番号と記憶部２０５に記憶された処理済み番号を比較して操作信号の番号が大きい場合のみ操作情報に基づき処理を実行する（ステップＳ１００７）。また、入力された操作信号に含まれる連続押し時間が所定の長押し時間を越えている場合は、連続押し処理を行う（ステップＳ１００８）。前記処理実行後、制御部２０２は、入力された操作信号に含まれる番号を記憶部２０５に記憶させて処理済み番号を更新し（ステップＳ１００９）、処理を終了する。
【００４４】
図１１は、本発明の実施の形態１に係る無線外部機器２００が無線テレビ１１０から操作信号を受信した場合の処理を示すフローチャートである。無線リモコン１００からの無線信号は無線外部機器２００のみならず、無線テレビ１１０でも受信可能であり、無線テレビ１１０において無線テレビ１１０が処理しないと判断された操作信号は有線通信で無線外部機器２００に送信される。
【００４５】
無線外部機器２００の有線通信部２０４は、無線テレビ１１０から操作信号を受信する（ステップＳ１１０１）。制御部２０２は、受信した操作信号に含まれる機器識別子に基づいて無線外部機器２００で処理すると判断した場合に、受信した操作信号に含まれる番号と記憶部２０５に記憶された処理済み番号を比較して操作信号の番号が大きい場合にのみ操作情報に基づき処理を実行する（ステップＳ１１０２）。また、入力された操作信号に含まれる連続押し時間が所定の長押し時間を越えている場合は、連続押し処理を行う（ステップＳ１１０３）。前記処理実行後、制御部２０２は、受信された操作信号に含まれる番号を記憶部２０５に記憶させて処理済み番組を更新し（ステップＳ１１０４）、処理を終了する。
【００４６】
図１２は、本発明の実施の形態１に係る無線外部機器２００が無線テレビ１１０に無線リモコン１００との無線通信状態を要求し、併せて無線外部機器２００と無線リモコン１００との無線通信状態を通知する処理を示すフローチャートである。
【００４７】
制御部２０２は、図１０のステップＳ１００３において無線信号を受信した場合、図１０のステップＳ１００８において連続押し時間が所定の時間を越えていなければ、有線通信部２０４を介して、無線通信状態確認要求を無線テレビ１１０に送信する（ステップＳ１２０１）。併せて、制御部２０２は、図１０のステップＳ１００４で生成した無線通信状態データを、有線通信部２０４を介して無線テレビ１１０に出力する（ステップＳ１２０２）。
【００４８】
図１３は、本発明の実施の形態１に係る無線外部機器２００が無線テレビ１１０から無線通信状態を要求された場合の処理を示すフローチャートである。制御部２０２は有線通信部２０４を介して無線テレビ１１０から無線通信状態確認要求を受信する（ステップＳ１３０１）。併せて、制御部２０２は有線通信部２０４を介して無線テレビ１１０から受信した無線通信状態データを、記憶部２０５に無線テレビ１１０の無線通信状態データとして記憶させる（ステップＳ１３０２）。
【００４９】
上記処理後、制御部２０２は電源制御部２０３に無線通信部２０１に対する電源オンを指示し（ステップＳ１３０３）、無線通信部２０１に対して、無線通信状態を確認するための信号である無線通信状態確認信号の生成を指示して送信させる（ステップＳ１３０４）。無線通信部２０１は、無線通信部１０１と無線交信を行い、無線通信状態応答信号を受信して、図３に示す無線通信状態データを生成する（ステップＳ１３０５）。そして、生成した無線通信状態データを制御部２０２へ出力し、制御部２０２は無線通信状態データを、有線通信部２０４を介して無線テレビ１１０へ送信する（ステップＳ１３０６）。そして、ステップＳ１３０２で記憶部２０５に記憶させた無線テレビ１１０の無線通信状態データと、ステップＳ１３０５で生成した無線外部機器２００の無線通信状態データとを比較し（ステップＳ１３０７）、無線テレビ１１０の無線通信状態データより無線外部機器２００の無線通信状態データがよくない場合は（ステップＳ１３０７で「ＹＥＳ」）、電源制御部２０３に対して無線通信部２０１の電源オフを指示する（ステップＳ１３０８）。一方、無線テレビ１１０の無線通信状態データより無線外部機器２００の無線通信状態データがよい場合は（ステップＳ１３０７で「ＮＯ」）、そのまま無線通信部２０１への電源供給を継続させる。
【００５０】
最後に、本発明の実施の形態１に係る無線外部機器２００の電源制御部２０３の電源制御処理について、図１４のフローチャートを用いて説明する。電源制御部２０３は、図４に示す電源制御情報に応じて無線通信部２０１への電源供給有無を判断する。
【００５１】
電源制御部２０３は、制御部２０２から有線通信可が入力されたか否かを判断し（ステップＳ１４０１）、有効な無線テレビ１１０及び無線外部機器２００の無線通信状態データがあるか否かを判断する（ステップＳ１４０２）。無線外部機器２００の無線通信状態データを入力１、無線テレビ１１０の無線通信状態データを入力２として図４の電源制御情報で判断する。（ステップＳ１４０３）。そして、ステップＳ１４０３において、無線テレビ１１０の無線通信状態が優位であると判断した場合は（ステップＳ１４０４で「ＹＥＳ」、無線外部機器２００の電源制御部２０３、は無線通信部２０１への電源供給を停止して処理を終わる（ステップＳ１４０５）。
【００５２】
なお、本実施の形態において、無線テレビ１１０と無線外部機器２００とで電源制御を行っているが無線外部機器２００が複数台あってもよい。
【産業上の利用可能性】
【００５３】
本発明によれば、スタンバイ時及び無線リモコンオン時に、無線リモコンと無線テレビ、無線外部機器との操作信号授受において最小限の無線通信機能を使用して消費電力を抑えることができるので、複数台の無線機器が無線接続及び有線接続された状況において有用である。
【符号の説明】
【００５４】
１００    無線リモコン
１０１，１１１，２０１    無線通信部
１０２，１１２，２０２    制御部
１０３，１１５，２０５    記憶部
１１０    無線テレビ
１１３，２０３    電源制御部
１１４，２０４    有線通信部
２００    無線外部機器
【図１】
2013085125.tif 000003
【図２】
2013085125.tif 000004
【図３】
2013085125.tif 000005
【図４】
2013085125.tif 000006
【図５】
2013085125.tif 000007
【図６】
2013085125.tif 000008
【図７】
2013085125.tif 000009
【図８】
2013085125.tif 000010
【図９】
2013085125.tif 000011
【図１０】
2013085125.tif 000012
【図１１】
2013085125.tif 000013
【図１２】
2013085125.tif 000014
【図１３】
2013085125.tif 000015
【図１４】
2013085125.tif 000016